(57)【要約】【課題】本人確認資料或いはそのコピーの画像データから本人確認資料の真贋判定を精度よく効率よく行うこと。【解決手段】画像解析部２２はスキャニングシステム４でスキャニングされた本人確認資料５或いはそのコピーの画像データ４１における文字列や画像のレイアウトに関する解析を行い、ＯＣＲエンジン２３はその文字列や画像の認識を行う。真贋判定処理部２５は、前記の解析結果、認識結果と、真贋判定ロジックテンプレート記憶部１２に記憶された本人確認資料に記載された文字や画像のレイアウトに関する真贋判定ロジックテンプレートとを照合して本人確認資料５の真贋を判定する。【選択図】図１
2011178075.tif 000002
【特許請求の範囲】
【請求項１】
本人確認資料に記載された文字や画像のレイアウトに関する真贋判定ロジックテンプレートを記憶する真贋判定ロジックテンプレート記憶部と、
前記本人確認資料或いは前記本人確認資料のコピーをスキャニングするスキャニング装置によってスキャニングされた画像データを記憶する画像データ記憶部と、
前記画像データを解析する解析部と、
前記解析部によって得られた前記画像データのレイアウトと、前記真贋判定ロジックテンプレートとを照合して、前記本人確認資料の真贋を判定する真贋判定部と、
を備えることを特徴とする真贋判定装置。
【請求項２】
前記真贋判定ロジックテンプレート記憶部は、前記文字や画像のレイアウトに関する真贋判定ロジックテンプレートを、前記本人確認資料の発行者に対応させて記憶し、
前記解析部は、前記画像データから当該本人確認資料の発行者を認識し、
前記真贋判定部は、前記解析部によって認識された当該本人確認資料の発行者に対応させて記憶された真贋判定ロジックテンプレートを用いて、当該本人確認資料の真贋を判定する
ことを特徴とする請求項１記載の真贋判定装置。
【請求項３】
前記真贋判定ロジックテンプレート記憶部は、前記本人確認資料に記載された文字に使用するフォントに関する真贋判定ロジックテンプレートを記憶し、
前記解析部は前記画像データの前記文字に使用されるフォントを認識し、
前記真贋判定部は、前記解析部によって認識された前記文字に使用されるフォントと、前記フォントに関する真贋判定ロジックテンプレートとを照合して、前記本人確認資料の真贋を判定する
ことを特徴とする請求項１または請求項２に記載の真贋判定装置。
【請求項４】
前記真贋判定ロジックテンプレート記憶部は、日付の条件に関する真贋判定ロジックテンプレートを記憶し、
前記解析部は前記画像データの前記日付を認識し、
前記真贋判定部は、前記解析部によって認識された前記日付が、前記日付の条件に関する真贋判定ロジックテンプレートに適合するかどうかを判定して前記本人確認資料の真贋を判定する
ことを特徴とする請求項１または請求項２に記載の真贋判定装置。
【請求項５】
本人確認資料に記載された文字や画像のレイアウトに関する真贋判定ロジックテンプレートを予め記憶するステップと、
スキャニング装置により前記本人確認資料或いは前記本人確認資料のコピーをスキャニングして生成された画像データを解析するステップと、
前記解析によって得られた前記画像データのレイアウトと、前記真贋判定ロジックテンプレートとを照合して、前記本人確認資料の真贋を判定するステップと、
を備えることを特徴とする真贋判定方法。
【発明の詳細な説明】
【技術分野】
【０００１】
本発明は、読取装置により読み取った本人確認資料の真贋判定を行う真贋判定装置及び真贋判定方法に関する。
【背景技術】
【０００２】
金融機関など犯罪収益移転防止法に定められた特定事業者のサービス、本人確認の必要な配送業者の配送サービス、レンタルビデオ店でのレンタルサービスなど、特定の事業者のサービスを利用するためにサービス利用者の本人確認が必要となる場合がある。この場合、サービス利用者は、サービスを提供する事業者に保険証や免許証などの本人確認資料を提出し、事業者は提出された本人確認資料の実物、或いはそのコピーをとるなどして目視で確認し、問題がなければサービス利用者にサービスを提供する。
また、本人確認資料の文字部分をＯＣＲ（Optical Character Reader）で読み取り、読み取った情報と、予め登録された情報と照合して、本人確認を行う場合もある（特許文献１参照）。
【０００３】
また、最近では、社員証や保険証などＩＣチップや磁気記憶装置を備える本人確認資料も多い。この場合の認証方法としては、例えば、ＩＣチップを発行する際にＩＣチップにパスワードを予め記憶しておき、ＩＣチップの読取装置が、ユーザから入力されるパスワードをＩＣチップに送信し、ＩＣチップが送信された情報と予め記憶された情報とを照合して一致した場合に、本人確認資料が本物であり、本人確認が正しく行われたとするＰＩＮ（Personal identification number）認証を行う方法がある。
【先行技術文献】
【特許文献】
【０００４】
【特許文献１】実開平０３−０９４５９２号公報
【発明の概要】
【発明が解決しようとする課題】
【０００５】
しかしながら、本人確認資料やそのコピーを目視で確認する作業は負荷が大きく、また精巧に作成された本人確認資料の偽造に気づかないという問題がある。また、本人確認資料の真贋を目視で正しく判定するためにはある程度の経験が必要であり、この判定作業を行う人により判定結果にばらつきがあるという問題も生じる。
また、ＯＣＲを用いて本人確認資料の文字部分を読み取る場合、文字配列、書体、画像位置などの情報を考慮して判定しないため、本人確認資料が偽造されたものであっても、記載された情報が正しければ、本人確認資料が本物であると判定するという問題もある。
また、ＯＣＲで読み取る対象として、本人確認資料原本を対象としており、本人確認資料のコピーには対応していないという問題もある。例えば、サービス利用者がメールオーダーや本人確認資料のコピーを添付して事業者にサービス利用の申請を行う場合において、本人確認資料の偽造による不正が増えている。
また、ＩＣチップや磁気情報等を読み取る場合では、本人確認資料のコピーには適用できない。また、ＩＣチップや磁気情報を備える本人確認資料の情報を読み取るためには、それらの情報を読み取る専用の読取装置等が必要となり、設備や経費がかかるという問題がある。
【０００６】
本発明は、以上の点に鑑みてなされたものであり、本人確認資料がコピーであっても、ＩＣチップ等を備えない本人確認資料であっても、本人確認資料の外観（レイアウト等）の画像データを解析し、本人確認資料の真贋判定を精度よく効率よく行うことのできる真贋判定装置及び真贋判定方法を提供することを目的とする。
【課題を解決するための手段】
【０００７】
前述した目的を達成するために本発明は、本人確認資料に記載された文字や画像のレイアウトに関する真贋判定ロジックテンプレートを記憶する真贋判定ロジックテンプレート記憶部と、前記本人確認資料或いは前記本人確認資料のコピーをスキャニングするスキャニング装置によってスキャニングされた画像データを記憶する画像データ記憶部と、前記画像データを解析する解析部と、前記解析部によって得られた前記画像データのレイアウトと、前記真贋判定ロジックテンプレートとを照合して、前記本人確認資料の真贋を判定する真贋判定部と、を備えることを特徴とする真贋判定装置である。
【０００８】
また、本発明は、上記に記載の発明において、前記真贋判定ロジックテンプレート記憶部は、前記文字や画像のレイアウトに関する真贋判定ロジックテンプレートを、前記本人確認資料の発行者に対応させて記憶し、前記解析部は、前記画像データから当該本人確認資料の発行者を認識し、前記真贋判定部は、前記解析部によって認識された当該本人確認資料の発行者に対応させて記憶された真贋判定ロジックテンプレートを用いて、当該本人確認資料の真贋を判定することを特徴とする。
【０００９】
また、本発明は、上記に記載の発明において、前記真贋判定ロジックテンプレート記憶部は、前記本人確認資料に記載された文字に使用するフォントに関する真贋判定ロジックテンプレートを記憶し、前記解析部は前記画像データの前記文字に使用されるフォントを認識し、前記真贋判定部は、前記解析部によって認識された前記文字に使用されるフォントと、前記フォントに関する真贋判定ロジックテンプレートとを照合して、前記本人確認資料の真贋を判定することを特徴とする。
また、本発明は、上記に記載の発明において、前記真贋判定ロジックテンプレート記憶部は、日付の条件に関する真贋判定ロジックテンプレートを記憶し、前記解析部は前記画像データの前記日付を認識し、前記真贋判定部は、前記解析部によって認識された前記日付が、前記日付の条件に関する真贋判定ロジックテンプレートに適合するかどうかを判定して前記本人確認資料の真贋を判定することを特徴とする。
【００１０】
また、本発明は、本人確認資料に記載された文字や画像のレイアウトに関する真贋判定ロジックテンプレートを予め記憶するステップと、スキャニング装置により前記本人確認資料或いは前記本人確認資料のコピーをスキャニングして生成された画像データを解析するステップと、前記解析によって得られた前記画像データのレイアウトと、前記真贋判定ロジックテンプレートとを照合して、前記本人確認資料の真贋を判定するステップと、を備えることを特徴とする真贋判定方法である。
【００１１】
本発明によれば、本人確認資料或いは本人確認資料のコピーの真贋判定作業の負荷を低減し、判定精度を向上させることが可能である。また、本発明では、本人確認資料或いはそのコピーの画像データを解析して外観的特徴（レイアウト）を取得すればいいため、従来のように記載された情報の内容を一つ一つ読み出して登録された情報と比較する処理に比べれば、判定スピードも向上する。また、本発明によれば、従来の方法では不可能であった、文字のフォントや日付の条件等に関する判定ロジックを用いて本人確認資料の真贋を判定することが可能である。
【図面の簡単な説明】
【００１２】
【図１】本発明の実施形態に係る真贋判定装置を含む真贋判定システムのブロック構成図である。
【図２】同実施形態に係る真贋判定装置の動作を説明するための図である。
【図３】同実施形態に係る文字配列の真贋判定ロジックの一例を示す図である。
【図４】同実施形態に係る文字配列の真贋判定ロジックテンプレートの一例を示す図である。
【図５】同実施形態に係る本人確認資料の一例を示す図である。
【図６】同実施形態に係る真贋判定ロジックテンプレートの一例を示す図である。
【発明を実施するための形態】
【００１３】
以下に、添付図面を参照しながら、本発明の好適な実施形態について詳細に説明する。
図１は、真贋判定システム１の概略機能ブロック構成図である。真贋判定システム１は、真贋判定装置３、スキャニングシステム４、外部システム６を備える。ここでは、真贋判定装置３、スキャニングシステム４、外部システム６は、ネットワーク２を介してデータ送受信可能に接続される。ネットワーク２は、インターネットやＬＡＮ（Local Area Network）であり、有線、無線を問わない。
【００１４】
スキャニングシステム４は、サービス利用者の本人確認が必要となるサービスを提供する事業者（金融機関等）に設置される。スキャニングシステム４は、本人確認資料５及びそのコピーをスキャンする機能を有するスキャニング装置、或いはスキャニング装置を含めたシステムである。例えば、スキャニングシステム４は、ネットワーク２に接続してデータ送受信可能なコンピュータとスキャナーであってもよいし、ネットワーク２に接続してデータ送受信可能なスキャン機能を有する事務機器（複写機など）であってもよい。
【００１５】
スキャニングシステム４は、サービスの利用を希望するサービス利用者（本人確認対象者）の本人確認資料５（及び本人確認資料のコピーでも可）をスキャニングして、本人確認資料５の画像データ４１を生成し、記憶するとともに、ネットワーク２を介して真贋判定装置３に送信する。
【００１６】
真贋判定装置３は、真贋判定ロジックテンプレート編集部１１、真贋判定ロジックテンプレート記憶部１２、比較元フォント／画像記憶部１３、暗号処理部１４、ＨＳＭ１５、判定対象スキャニング画像キャッシュ部２１、画像解析部２２、ＯＣＲエンジン２３、取得文字情報取得画像記録部２４、真贋判定処理部２５、真贋判定結果記録部２６、真贋判定傾向分析学習ＡＩ２７を備える。真贋判定装置３は、コンピュータ等を用いたスタンドアロンシステムであっても良いし、ＡＳＰ（Application Service Provider）などとしてネットワーク２を介して事業者等に提供されてもよい。
【００１７】
真贋判定ロジックテンプレート編集部１１は、真贋判定用のロジックを生成するため、複数の本人確認資料５の外観（印刷面）を読み出して、本人確認資料５の表面に印刷された文字、画像、印章、記号等の配列、位置、文字フォントといったレイアウトを解析してレイアウトに関する真贋判定情報を取得する。また、真贋判定装置３の管理者等が、本人確認資料のレイアウトに関する既知の真贋判定情報、本人確認資料５に記載された情報の論理条件や数式計算条件等を収集し取得して、真贋判定ロジックテンプレート編集部１１に入力し、真贋判定ロジックテンプレート編集部１１はレイアウトに関する真贋判定情報として受け付けることもできる。真贋判定ロジックテンプレート編集部１１は、取得した真贋判定情報を基に真贋判定ロジックを生成し、ＸＭＬ（Extensible Markup Language）などによって、本人確認資料５の種類、発行母体、発行事業所、発行世代、発行時期などの最小カテゴリーごとに真贋判定ロジックをテンプレート化する。
【００１８】
真贋判定ロジックテンプレート記憶部１２は、真贋判定ロジックテンプレート編集部１１によって生成された真贋判定ロジックテンプレートを記憶する。
比較元フォント／画像記憶部１３は、比較元となる本人確認資料５のフォントや画像に関する情報を記憶する。例えば、比較元フォント／画像記憶部１３は、本人確認資料５に記載されたフォントの種類、色、サイズに関する情報、画像の色、コントラスト、明度に関する情報等を記憶する。
【００１９】
暗号処理部１４は、ＨＳＭ（Hardware Security Module）１５を用いて、真贋判定ロジックテンプレート記憶部１２、比較元フォント／画像記憶部１３に記憶された情報を暗号化する。ＨＳＭ１５は、秘密鍵などの暗号化に必要な秘密情報を生成し、管理するモジュールである。ＨＳＭ１５は市販品でもよく、例えばＦＩＰＳ（Federal Information Processing Standardization）  １４０−２  Ｌｅｖｅｌ３以上の規格を満たすＨＳＭを適用することができる。
【００２０】
判定対象スキャニング画像キャッシュ部２１は、スキャニングシステム４から送信される、真贋判定の対象となる本人確認資料５の画像データ４１を一時的に記憶し、画像解析部２２に送信する。ここでは、上述のようにスキャニングシステム４がスキャニングした画像データ４１が真贋判定装置３に送信されて記憶される例を説明するが、スキャニングされＣＤ（Compact disk）等の記憶媒体に記憶された画像データ４１が、真贋判定装置３によって読み込まれて判定対象スキャニング画像キャッシュ部２１に記憶されるようにしても良い。
【００２１】
画像解析部２２は、判定対象スキャニング画像キャッシュ部２１に記憶されている画像データ４１を解析し、文字、画像、印章、記号等の配列や位置といった外観的特徴（レイアウト）を真贋判定対象情報として検出し、ＯＣＲエンジン２３、真贋判定処理部２５に送信する。ＯＣＲエンジン２３は、画像解析部２２によって検出された文字配列や画像等の認識処理を行い、取得文字情報取得画像記録部２４、真贋判定処理部２５に認識結果を送信する。このように、画像解析部２２とＯＣＲエンジン２３とが画像データ４１を解析する。
【００２２】
取得文字情報取得画像記録部２４は、ＯＣＲエンジン２３によって認識された文字や画像に関する認識結果を外部システム６に通知し、記憶させる。真贋判定部２５は、画像解析部２２によって解析された、文字、画像、印章、記号等の配列や位置といったレイアウトに関する真贋判定対象情報と、ＯＣＲエンジン２３によって認識した文字や画像等の認識結果をもとに対象となる本人確認資料手５の真贋判定に適用する真贋判定ロジックテンプレートを真贋判定ロジックテンプレート記憶部１２から読み出し、真贋判定処理、即ち、スキャニングされた本人確認資料５が本物であるか偽造されたものであるかの判定を行う。      
【００２３】
また、真贋判定処理部２５は、対象となる本人確認資料手５の比較元フォント或いは比較元画像を、比較元フォント／画像記憶部１３から読み出して、ＯＣＲエンジン２３で読み取った認識結果と比較し、画像データ４１の真贋判定、即ち、スキャニングされた本人確認資料５が本物であるか偽造されたものであるかの判定を行う。
【００２４】
真贋判定結果記録部２６は、真贋判定処理部２５の判定結果を自身の記憶領域に記憶する。また、真贋判定結果記録部２６は、真贋判定処理部２５の判定結果をスキャニングシステム４（事業者）に通知する。また、真贋判定結果記録部２６は、真贋判定処理部２５の判定結果を外部システム６の事業者管理システム６１、個人認証データベース６２、ブラックリストデータベース６３に通知、記憶させる。
【００２５】
真贋判定傾向分析学習ＡＩ２７は、真贋判定処理部２５の真贋判定結果を元に、真贋判定対象情報の傾向分析を行う。真贋判定傾向分析学習ＡＩ２７は、真贋判定ロジックテンプレート記憶部１２に記憶された真贋判定ロジックテンプレートのうち真贋判定エラー頻度が多い真贋判定ロジックを検出し、修正が必要な場合は修正を行い、真贋判定ロジックテンプレート記憶部１２に再記憶する。
【００２６】
次に、本真贋判定システム１の動作について説明する。図２は、真贋判定システム１の真贋判定ロジックテンプレートの登録処理、真贋判定処理の流れを示す図である。
図２において、本人確認資料５の真贋判定サービスの提供者は、様々な種類の本人確認資料５の真贋判定ロジックを収集し、真贋判定装置に入力する（ＳＴ１０１）。真贋判定装置３の真贋判定ロジックテンプレート編集部１１は、真贋判定ロジックの入力を受け付け、発行母体、発行時期などの最小カテゴリーごとに真贋判定ロジックをテンプレート化し（ＳＴ１０２）、真贋判定ロジックテンプレート記憶部１２に記憶する（ＳＴ１０３）。ここで、真贋判定ロジックテンプレートは暗号処理部１４によってＨＳＭ１５を用いて暗号化され、真贋判定ロジックテンプレート記憶部１２に記憶される。
【００２７】
ＳＴ１０１における真贋判定ロジックの収集は、真贋判定サービス提供者が様々な本人確認資料５のサンプルを収集して解析し入力する。また、真贋判定サービス提供者が収集した本人確認資料５のサンプルのＯＣＲ等を含むスキャニング処理を行い、解析して入力することも可能である。また、本人確認資料５の種類によっては、その本人確認資料５の発行母体が真贋判定ロジックを公開、提供している場合もあり、それらをそのまま真贋判定ロジックテンプレート編集部１２に対して入力することも可能である。
【００２８】
図３は、真贋判定ロジックの一例を示す図である。図４は、図３に示す真贋判定ロジックをテンプレート化した真贋判定ロジックテンプレートの一例を示す図である。
図３に示す真贋判定ロジックは、例えば、本人確認資料５である保険証の氏名記載欄に記載された姓名の文字配列を判定するための真贋判定ロジックである。
【００２９】
ここで、図３に示す真贋ロジックは、本保険証を発行した発行母体は「××健康保険組合」であること、氏名文字列において、「姓」が「２文字」、「名」が「２文字」の場合は、姓名の文字配列が「スペース、文字、スペース２つ、文字、スペース３つ、文字、スペース２つ、文字、スペース（図３では白丸がスペースを、黒丸が文字を示す）」となり、文字間のスペースの数は「１・２・３・２」であることを示す。また、「姓」が「２文字」、「名」が「３文字」の場合は、姓名の文字配列が「スペース、文字、スペース、文字、スペース３つ、文字、スペース、文字、スペース、文字、スペース」となり、文字間のスペースの数は「１・１・３・１・１」であることを示す。本人確認資料５の発行母体により文字配列が決まっている場合は、図３に示すように発行母体に対応させて真贋判定ロジックを入力する。
【００３０】
図４に示す真贋判定ロジックテンプレート７０は、図３に示す文字配列に関する真贋判定ロジックをＸＭＬでテンプレート化した真贋判定ロジックテンプレートである。真贋判定ロジックテンプレート７０において、符号７１は、保険証の発行母体が「××健康保険組合」であることを示し、符号７１は、氏名記入欄の文字列で「姓」が「２文字」、「名」が「２文字」の場合は「×○××○×××○××○×」（×はスペース、○は文字を示す）という文字配列になることを示し、符号７２は、氏名記入欄の文字列で「姓」が「２文字」、「名」が「３文字」の場合は「×○×○×××○×○×○×」という文字配列になることを示す。
【００３１】
次に、真贋判定装置３による本人確認資料５の判定処理について説明する。
図２において、スキャニングシステム４が真贋判定の対象となる本人確認資料５をスキャニングし（ＳＴ２０１）、画像データ４１を真贋判定装置３に送信する。
真贋判定装置３の判定対象スキャニング画像キャッシュ部２１は、画像データ４１を取り込み（ＳＴ２０２）、画像解析部２２に送信する。画像解析部２２は、画像データ４１の外観的特徴（レイアウト）の解析を行い、ＯＣＲエンジン２３は画像データ４１の文字や画像を識別する（ＳＴ２０３）。
【００３２】
ＳＴ２０３では、例えば、画像解析部２２が、画像データ４１の画像の特徴点を検出し、その特徴点を基点として画像データ４１における画像や文字列の位置や大きさ等を検出し、ＯＣＲエンジン２３は、検出された画像や文字列の位置や大きさ等を参照して、文字列の文字認識、フォントの書体、色、サイズの認識、画像の色（本人確認資料５に使用されている色を含めて）等を認識する。
【００３３】
ＳＴ２０３の解析結果（真贋判定対象情報）は真贋判定処理部２５に通知される。真贋判定処理部２５は、通知された画像データ４１の解析結果と、真贋判定ロジックテンプレート記憶部１２に記憶された真贋判定ロジックテンプレートとを用いて画像データ４１、即ち本人確認資料５の真贋の判定を行う（ＳＴ２０４）。判定方法としては、文字列や画像の位置、配列等の真贋判定ロジックテンプレートとその解析結果のマッチングを調べて、真贋の判定を行う方法がある。
【００３４】
さらに、判定情報が不足する場合は、真贋判定処理部２５は、解析結果から得られた本人確認資料５に記載された文字情報を読み出し、外部システム６の個人認証データベース６２から本人確認資料５を発行する際に記憶された本人確認資料５の所有者の情報を読み出し、両者を比較して判定することも可能である。また、真贋判定処理部２５は、解析結果から得られた本人確認資料５に記載された文字情報を読み出し、当該本人確認資料５の所有者に関する過去の判定履歴（真贋判定装置３で記憶してもよい）やブラックリストデータベース６３に記憶された情報を参照して判定することも可能である。
【００３５】
図２に戻り、ＳＴ２０４で真贋判定処理部２５が画像データ４１を「真（本物である）」と判断した場合、真贋判定処理部２５は、スキャニングシステム４に判定結果を通知する（ＳＴ２０５）。スキャニングシステム４を有する事業者は、本人確認資料５が正しいものとして本人確認を行い、本人確認資料５の所有者に対してサービスを提供する（ＳＴ２０６）。
【００３６】
ＳＴ２０４で真贋判定処理部２５が画像データ４１を「贋（偽造品である）」と判断した場合、真贋判定処理部２５は、ブラックリストデータベース６３や自身の判定履歴記憶部等に判定結果を記憶する（ＳＴ２０７）。
真贋判定処理部２５は、解析結果から得られた本人確認資料５に記載された文字情報を個人情報データとして読み出し（ＳＴ２０８）、対象となる外部システム６（例えば、当該事業者の事業者管理システム６１や個人認証データベース６２）に記憶する（ＳＴ２０９）。
【００３７】
真贋判定傾向分析学習ＡＩ２７は、判定結果後も判定結果のエラーに関する情報の入力を受け付け（ＳＴ２１０）、必要であれば、真贋判定ロジックテンプレートを更新して記憶する（ＳＴ２１１）。真贋判定傾向分析学習ＡＩ２７は、例えば、同じ種類の本人確認資料５において、同じ文字列の真贋判定におけるエラーが多数あった場合に、真贋判定ロジックの見直しを管理者等に通知してもよい。また、同じ発行母体の本人確認資料５において判定エラーが多数あった場合は、本人確認資料５のレイアウトが変更された可能性もあるため、真贋判定装置３はその旨を管理者等に通知し、管理者は真贋判定ロジックを発行母体に確認することも可能である。
【００３８】
次に、図２のＳＴ２０４における真贋判定処理部２５による真贋判定ロジックテンプレートと画像データ４１の解析結果のマッチングによる判定について説明する。
図５は、判定対象となる本人確認資料５の一例を示す図である。図５に示す本人確認資料５の一例は、写真付の社員証８０である。社員証８０には、事業所名８１、氏名８２、社員番号８３、顔画像８４、有効期限８５等が印刷されている。
【００３９】
社員証８０がスキャニングシステム４でスキャンされると、その画像データ４１は真贋判定装置３に送信され、画像解析部２２によって解析され、ＯＣＲエンジン２３によって文字や画像の認識が行われる。その解析結果、認識結果は真贋判定処理部２５に通知される。
【００４０】
真贋判定処理部２５は、ＯＣＲエンジン２３による事業所名８１の認識結果から、発行母体が事業所名８１である真贋判定ロジックテンプレートを真贋判定ロジックテンプレート記憶部１２から読み出す。図６は、図５に示す本人確認資料５用の真贋判定ロジックテンプレートの一例を示す図である。図６に示す真贋判定ロジックテンプレートにおける符号９１は事業所名８１と一致する。これは、図６に示す真贋判定ロジックテンプレートが事業所名８１に属する社員の社員証の真贋判定を行うための真贋判定ロジックテンプレートであることを意味する。
【００４１】
真贋判定処理部２５は、社員証８０の画像データ４１の解析認識結果と、図６に示す真贋判定ロジックテンプレートとのマッチングを行う。真贋判定処理部２５は、図５に示す氏名８２の位置、文字配列の認識結果が、真贋判定ロジックテンプレートの符号９２と一致するかどうかを調べる。真贋判定ロジックテンプレートの符号９２は、図４で説明したものと同様の文字配列の真贋判定ロジックテンプレートである。
【００４２】
次に、真贋判定処理部２５は、図５に示す社員番号８３の画像データ４１の認識結果が図６に示す真贋判定ロジックテンプレートの符号９３に一致するかどうかを判定する。真贋判定ロジックテンプレートの符号９３は、社員番号に関する「ＡＡ事業所（事業所名８１）」の特有の計算ロジックであり、真贋判定処理部２５は、認識された社員番号８３がその計算ロジックに適合した番号かどうかを調べる。また、図６に示す真贋判定ロジックテンプレートの符号９４は、数字フォントの画像が格納されている比較元フォント／画像記憶部１３のパスを示す。真贋判定処理部２５は、図５に示す社員番号８３の画像データ４１の認識結果から社員番号８３の数字のフォントと、真贋判定ロジックテンプレートの符号９４に記載されたパスに格納されたフォントと一致するかどうかを判定する。
【００４３】
図６に示す真贋判定ロジックテンプレートの符号９５は、顔画像８４の位置座標を示す真贋判定ロジックであり、例えば、社員証８０の画像データ４１における特徴点を基準点としたときの顔画像の左下ｘ座標と左下ｙ座標を示す。画像解析部２２は、画像データ４１の特徴点を抽出し、社員証８０における顔画像８４の位置座標を求め、真贋判定処理部２５に通知する。真贋判定処理部２５は、画像解析部２２が求めた顔画像８４の位置座標と、真贋判定ロジックテンプレートの符号９５とが一致するかどうかを判定する。
なお、ここでは顔画像８４の位置を例に説明したが、その他の文字列や印章等の位置に関して同様に真贋判定することが可能である。
【００４４】
図６に示す真贋判定ロジックテンプレートの符号９６は、社員証の有効期限に関する真贋判定ロジックを示し、例えば、「読み取った有効期限は、現在の日付以降でなくてはならない」という日付に関する条件を示すものである。真贋判定処理部２５は、社員証８０の画像データ４１の認識結果から読み出した有効期限８５が、真贋判定ロジックテンプレートの符号９６の条件を満足するかどうかを判定する。
【００４５】
以上述べたように、真贋判定処理部２５は、本人確認資料５の画像データ４１の解析結果、認識結果と、真贋判定ロジックテンプレートとをマッチングして、全ての真贋判定ロジックテンプレートに対して正しいと判定された本人確認資料５を本物であると判定する。
なお、真贋判定処理部２５による真贋判定ロジックの他の例として、チェックディジットを用いてもよい。また、色の明度に関する情報等を真贋判定に用いてもよい。
また、本実施の形態では社員証を例に真贋判定処理を説明したが、本人確認資料５としては、保険証、運転免許証、会員証、本人確認資料５のコピーなどにおいても、その外観的特徴（レイアウト）を抽出し、真贋判定ロジックテンプレートとをマッチングして真贋判定を行うことが可能である。
【００４６】
なお、本発明における処理部の機能を実現するためのプログラムをコンピュータ読み取り可能な記録媒体に記録して、この記録媒体に記録されたプログラムをコンピュータシステムに読み込ませ、実行することにより真贋判定を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４７】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４８】
１………真贋判定システム
３………真贋判定装置
４………スキャニングシステム
５………本人確認資料
６………外部システム
１１………真贋判定ロジックテンプレート編集部
１２………真贋判定ロジックテンプレート記憶部
１３………比較元フォント／画像記憶部
１４………暗号処理部
１５………ＨＳＭ
２１………判定対象スキャニング画像キャッシュ部
２２………画像解析部
２３………ＯＣＲエンジン
２４………取得文字情報取得画像記録部
２５………真贋判定処理部
２６………真贋判定結果記録部
２７………真贋判定傾向分析学習ＡＩ
４１………画像データ
６１………事業者管理システム
６２………個人認証データベース
６３………ブラックリストデータベース
【図１】
2011178075.tif 000003
【図２】
2011178075.tif 000004
【図３】
2011178075.tif 000005
【図４】
2011178075.tif 000006
【図５】
2011178075.tif 000007
【図６】
2011178075.tif 000008